(57)【要約】【課題】  挿入した端末装置のスロットの外側でアンテナが送受信を行なうことができると共に、このアンテナの破損や送受信不良の発生を防止することができる無線通信カードを提供する。【解決手段】  スロットへの挿入方向と平行方向の長さ寸法が前記スロットの深さ寸法とほぼ同じ長さであって、同長さ方向の一方の端部２４ａに端末装置と回路接続するためのコネクタ２０を有すると共に、他方の端部２４ｂ側の端面２４ｃに開口して内部空間に連通する開口部３９が形成されたケース２４と、内蔵型のアンテナ４を有し、当該アンテナが前記挿入方向と平行方向に前記ケースの開口部側の端面を横切る一定長さの範囲内で移動自在にされるよう収納されて保持されるユニット３２と、イジェクト機構３４とを備えるようにした。【選択図】      図３
2007123985.tif 000002
【特許請求の範囲】
【請求項１】
端末装置のスロットに挿入されて当該端末装置と回路接続する無線通信カードであって、
内部空間を有し、前記スロットへの挿入方向と平行方向の長さ寸法が前記スロットの深さ寸法とほぼ同じ長さであって、同長さ方向の一方の端部に前記端末装置と回路接続するためのコネクタを有すると共に、他方の端部側の端面に開口して前記内部空間に連通する開口部が形成されたケースと、
内蔵型のアンテナを有し、当該アンテナが前記挿入方向と平行方向に前記ケースの開口部側の端面を通過する一定長さの範囲内で移動自在にされるように、前記ケースの内部空間内に収納されて保持されるユニットと、
前記ユニットが前記ケースの内部空間内に収納された状態から外部に引出すときに、ユニットの前記挿入方向と平行方向の一方の端部を操作することにより前記開口部からケース外側に突出させるイジェクト機構と
を備えることを特徴とする無線通信カード。
【請求項２】
前記イジェクト機構を操作するための操作部を、前記開口部の近傍に配置したことを特徴とする請求項１に記載の無線通信カード。
【請求項３】
端末装置のスロットに挿入されて当該端末装置と回路接続する無線通信カードであって、
内部空間を有し、前記スロットへの挿入方向と平行方向の長さ寸法が前記スロットの深さ寸法とほぼ同じ長さであって、同長さ方向の一方の端部に前記端末装置と回路接続するためのコネクタを有すると共に、他方の端部側の端面に開口して前記内部空間に連通する開口部が形成されたケースと、
内蔵型のアンテナを有し、当該アンテナが前記挿入方向と平行方向に前記ケースの開口部側の端面を通過する一定長さの範囲内で移動自在にされるように、前記ケースの内部空間内に収納されて保持されるユニットと、
前記ユニットを前記開口部からケース外側に突出させる向きに常時付勢する付勢部材と、
非操作時には、前記ユニットが前記ケースの内部空間内に収納された収納状態を維持し、操作時には当該収納状態を解除して前記付勢部材により前記ユニットを開口部から前記一定長さ分だけ突出させるロック機構と
を備えることを特徴とする無線通信カード。
【請求項４】
前記ロック機構を操作するための操作部を、前記開口部の近傍に配置したことを特徴とする請求項３に記載の無線通信カード。
【請求項５】
端末装置のスロットに挿入されて当該端末装置と回路接続する無線通信カードであって、
内部空間を有し、前記スロットへの挿入方向と平行方向の長さ寸法が前記スロットの深さ寸法とほぼ同じ長さであって、同長さ方向の一方の端部に前記端末装置と回路接続するためのコネクタを有し、他方の端部側の端面に開口して前記内部空間に連通する開口部が形成されると共に、当該開口部の周縁の肉厚部分の一部に、前記挿入方向と平行方向に深さを有するように切欠いた形状の凹部が形成されたケースと、
内蔵型のアンテナを有し、当該アンテナが前記挿入方向と平行方向に前記ケースの開口部側の端面を通過する一定長さの範囲内で移動自在にされるように、前記ケースの内部空間内に収納されて保持されると共に、ケースの内部空間内に収納された状態のときに前記凹部から露出する、前記挿入方向と平行方向の面の一部の領域に、引掛け部が設けられたユニットと
を備えることを特徴とする無線通信カード。
【請求項６】
端末装置のスロットに挿入されて当該端末装置と回路接続する無線通信カードであって、
内部空間を有し、前記スロットへの挿入方向と平行方向の長さ寸法が前記スロットの深さ寸法とほぼ同じ長さであって、同長さ方向の一方の端部に前記端末装置と回路接続するためのコネクタを有すると共に、他方の端部側の端面に開口して前記内部空間に連通する開口部が形成されたケースと、
内蔵型のアンテナを有し、当該アンテナが前記挿入方向と平行方向に前記ケースの開口部側の端面を通過する一定長さの範囲内で移動自在にされるように、同方向の一方の端部を除く他の部分が前記ケースの内部空間内に収納されて保持されるユニットと
を備えることを特徴とする無線通信カード。
【請求項７】
前記ユニットは、前記挿入方向と平行方向に前記一定長さの間隔だけ離れて設けられる２つの窪みを有すると共に、
前記ケースは、前記ユニットが移動自在にされる前記一定長さの範囲の始端又は終端で前記２つの窪みのいずれかに係合する係合部を有している
ことを特徴とする請求項１ないし６のいずれか一に記載の無線通信カード。
【請求項８】
端末装置のスロットに挿入されて当該端末装置と回路接続する無線通信カードであって、
内部空間を有し、前記スロットへの挿入方向と平行方向の長さ寸法が前記スロットの深さ寸法とほぼ同じ長さであって、同長さ方向の一方の端部に前記端末装置と回路接続するためのコネクタを有すると共に、他方の端部側の端面に開口して前記内部空間に連通する開口部が形成されたケースと、
内蔵型のアンテナを有し、当該アンテナが、前記挿入方向に直角の回動軸線を中心とする回動方向に前記ケースの開口部側の端面を通過する一定角度の範囲内で回動自在にされるように、前記ケースの内部空間内に全体又はその一部が収納されるユニットと
を備えることを特徴とする無線通信カード。
【請求項９】
前記ユニットは、その平面形状が前記回動軸線を中心とする略扇形に形成されると共に、その円周面上における前記一定角度と同じ大きさの角度で離れる位相の位置に２つの窪みが設けられ、
前記ケースは、前記ユニットが回動自在にされる前記一定角度の範囲の始端又は終端で前記２つの窪みのいずれかに係合する係合部を有している
ことを特徴とする請求項８に記載の無線通信カード。
【請求項１０】
前記ユニット内に前記アンテナと回路接続される電力増幅部を設け、かつ、当該ユニット側と前記ケース側とにそれぞれ接続し、当該アンテナ及び当該電力増幅部を介して無線送信する信号及び／又は受信した信号を伝送するケーブルを設けたことを特徴とする請求項１ないし９のいずれか一に記載の無線通信カード。
【請求項１１】
前記ユニットに表示部を設けたことを特徴とする請求項１ないし１０のいずれか一に記載の無線通信カード。
【発明の詳細な説明】
【技術分野】
【０００１】
本発明は、ノート型パーソナルコンピュータ等の端末装置のスロットに挿入されて、この端末装置と回路接続し、無線通信（無線による送信、又は受信、若しくは送受信）を行なう機能を有する無線通信カードに関するものである。
【背景技術】
【０００２】
ノート型パーソナルコンピュータ等の端末装置のスロットに挿入されて、この端末装置と回路接続し、無線通信を行なう機能を有する無線通信カードとしては、従来は、伸縮自在のロッドアンテナを備えるものがあった（例えば、特許文献１及び２参照）。
【０００３】
すなわち、上記特許文献１及び２に係る無線通信カードは、挿入したスロット内では電波の感度が劣化することに鑑みて、伸縮自在のロッドアンテナを備える構造を採用し、このロッドアンテナをスロットの外側まで伸ばして電波に対する感度を向上させるようになっていた。そして、このロッドアンテナは、無線通信を行なわないときには、縮めておくことができるため、端末装置の携帯性や操作性を損なわないようになっていた。
【特許文献１】特開平８−１７２６５５号公報
【特許文献２】特開平８−２７９０２７号公報
【発明の開示】
【発明が解決しようとする課題】
【０００４】
しかしながら、前記特許文献１及び２に係る無線通信カードでは、ロッドアンテナを備える構造を採用しているため、このロッドアンテナに外力が加わった場合に、その基部が破損し易く、また、ロッドアンテナに回路接続するための接点ばねを設ける必要があるので、この接点ばねとの接触不良等に起因する電波の送受信不良を生じるおそれがあるという問題があった。
【０００５】
そこで本発明は、上記問題点に鑑みて、挿入した端末装置のスロットの外側でアンテナが送受信を行なうことができると共に、このアンテナの破損や送受信不良の発生を防止することができる無線通信カードを提供することを課題とするものである。
【課題を解決するための手段】
【０００６】
上記課題を解決するために本発明は、
端末装置のスロットに挿入されて当該端末装置と回路接続する無線通信カードであって、
内部空間を有し、前記スロットへの挿入方向と平行方向の長さ寸法が前記スロットの深さ寸法とほぼ同じ長さであって、同長さ方向の一方の端部に前記端末装置と回路接続するためのコネクタを有すると共に、他方の端部側の端面に開口して前記内部空間に連通する開口部が形成されたケースと、
内蔵型のアンテナを有し、当該アンテナが前記挿入方向と平行方向に前記ケースの開口部側の端面を通過する一定長さの範囲内で移動自在にされるように、前記ケースの内部空間内に収納されて保持されるユニットと、
前記ユニットが前記ケースの内部空間内に収納された状態から外部に引出すときに、ユニットの前記挿入方向と平行方向の一方の端部を操作することにより前記開口部からケース外側に突出させるイジェクト機構と
を備えることを特徴とするものである。
【０００７】
また、本発明による無線通信カードは、前記イジェクト機構を操作するための操作部を、前記開口部の近傍に配置したことを特徴とするものである。
【０００８】
また、上記課題を解決するために本発明は、
端末装置のスロットに挿入されて当該端末装置と回路接続する無線通信カードであって、
内部空間を有し、前記スロットへの挿入方向と平行方向の長さ寸法が前記スロットの深さ寸法とほぼ同じ長さであって、同長さ方向の一方の端部に前記端末装置と回路接続するためのコネクタを有すると共に、他方の端部側の端面に開口して前記内部空間に連通する開口部が形成されたケースと、
内蔵型のアンテナを有し、当該アンテナが前記挿入方向と平行方向に前記ケースの開口部側の端面を通過する一定長さの範囲内で移動自在にされるように、前記ケースの内部空間内に収納されて保持されるユニットと、
前記ユニットを前記開口部からケース外側に突出させる向きに常時付勢する付勢部材と、
非操作時には、前記ユニットが前記ケースの内部空間内に収納された収納状態を維持し、操作時には当該収納状態を解除して前記付勢部材により前記ユニットを開口部から前記一定長さ分だけ突出させるロック機構と
を備えることを特徴とするものである。
【０００９】
また、本発明による無線通信カードは、前記ロック機構を操作するための操作部を、前記開口部の近傍に配置したことを特徴とするものである。
【００１０】
また、上記課題を解決するために本発明は、
端末装置のスロットに挿入されて当該端末装置と回路接続する無線通信カードであって、
内部空間を有し、前記スロットへの挿入方向と平行方向の長さ寸法が前記スロットの深さ寸法とほぼ同じ長さであって、同長さ方向の一方の端部に前記端末装置と回路接続するためのコネクタを有し、他方の端部側の端面に開口して前記内部空間に連通する開口部が形成されると共に、当該開口部の周縁の肉厚部分の一部に、前記挿入方向と平行方向に深さを有するように切欠いた形状の凹部が形成されたケースと、
内蔵型のアンテナを有し、当該アンテナが前記挿入方向と平行方向に前記ケースの開口部側の端面を通過する一定長さの範囲内で移動自在にされるように、前記ケースの内部空間内に収納されて保持され、ケースの内部空間内に収納された状態のときに前記凹部から露出する、前記挿入方向と平行方向の面の一部の領域に、引掛け部が設けられたユニットと
を備えることを特徴とするものである。
【００１１】
また、上記課題を解決するために本発明は、
端末装置のスロットに挿入されて当該端末装置と回路接続する無線通信カードであって、
内部空間を有し、前記スロットへの挿入方向と平行方向の長さ寸法が前記スロットの深さ寸法とほぼ同じ長さであって、同長さ方向の一方の端部に前記端末装置と回路接続するためのコネクタを有すると共に、他方の端部側の端面に開口して前記内部空間に連通する開口部が形成されたケースと、
内蔵型のアンテナを有し、当該アンテナが前記挿入方向と平行方向に前記ケースの開口部側の端面を通過する一定長さの範囲内で移動自在にされるように、同方向の一方の端部を除く他の部分が前記ケースの内部空間内に収納されて保持されるユニットと
を備えることを特徴とするものである。
【００１２】
また、本発明による無線通信カードは、
前記ユニットは、前記挿入方向と平行方向に前記一定長さの間隔だけ離れて設けられる２つの窪みを有すると共に、
前記ケースは、前記ユニットが移動自在にされる前記一定長さの範囲の始端又は終端で前記２つの窪みのいずれかに係合する係合部を有していることを特徴とするものである。
【００１３】
また、上記課題を解決するために本発明は、
端末装置のスロットに挿入されて当該端末装置と回路接続する無線通信カードであって、
内部空間を有し、前記スロットへの挿入方向と平行方向の長さ寸法が前記スロットの深さ寸法とほぼ同じ長さであって、同長さ方向の一方の端部に前記端末装置と回路接続するためのコネクタを有すると共に、他方の端部側の端面に開口して前記内部空間に連通する開口部が形成されたケースと、
内蔵型のアンテナを有し、当該アンテナが、前記挿入方向に直角の回動軸線を中心とする回動方向に前記ケースの開口部側の端面を通過する一定角度の範囲内で回動自在にされるように、前記ケースの内部空間内に全体又はその一部が収納されるユニットと
を備えることを特徴とするものである。
【００１４】
また、本発明による無線通信カードは、
前記ユニットは、その平面形状が前記回動軸線を中心とする略扇形に形成されると共に、その円周面上における前記一定角度と同じ大きさの角度で離れる位相の位置に２つの窪みが設けられ、
前記ケースは、前記ユニットが回動自在にされる前記一定角度の範囲の始端又は終端で前記２つの窪みのいずれかに係合する係合部を有していることを特徴とするものである。
【００１５】
また、本発明による無線通信カードは、前記ユニット内に前記アンテナと回路接続される電力増幅部を設け、かつ、当該ユニット側と前記ケース側とにそれぞれ接続し、当該アンテナ及び当該電力増幅部を介して無線送信する信号及び／又は受信した信号を伝送するケーブルを設けたことを特徴とするものである。
【００１６】
また、本発明による無線通信カードは、前記ユニットに表示部を設けたことを特徴とするものである。
【発明の効果】
【００１７】
このような本発明の無線通信カードによれば、挿入した端末装置のスロットの外側でアンテナが送受信を行なうことができると共に、このアンテナの破損や送受信不良の発生を防止することができる。
【発明を実施するための最良の形態】
【００１８】
以下、本発明に係る無線通信カードの実施の形態について、図面に基づいて具体的に説明する。
図１ないし図６は、本発明の第１の実施の形態に係る、無線送受信機能を有する無線通信カード２について説明するために参照する図である。本実施の形態に係る無線通信カード２は、例えば、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に適合するように作成することができるものである。
【００１９】
図１は、本実施の形態に係る無線通信カード２の回路構成を示すブロック図である。同図に示すように、無線通信カード２は、内蔵型のアンテナ４、パワーアンプ部６（電力増幅部に相当）、発光部８（表示部に相当）、ＲＦ（Ｒａｄｉｏ  Ｆｒｅｑｕｅｎｃｙ）部１０、ＢＢＰ（Ｂａｓｅ  Ｂａｎｄ  Ｐｒｏｃｅｓｓｏｒ）部１２、ＭＡＣ（Ｍｅｄｉａ  Ａｃｃｅｓｓ  Ｃｏｎｔｏｒｏｌｌｅｒ）部１４、ＲＯＭ（Ｒｅａｄ  Ｏｎｌｙ  Ｍｅｍｏｒｙ）１６、ＲＡＭ（Ｒａｎｄｏｍ  Ａｃｃｅｓｓ  Ｍｅｍｏｒｙ）１８、コネクタ２０、及びこれらを制御するＣＰＵ（Ｃｅｎｔｒａｌ  Ｐｒｏｃｅｓｓｉｎｇ  Ｕｎｉｔ）２２を有している。
【００２０】
発光部８は、ＣＰＵ２２の制御の下で点灯したり点滅したりすることにより、無線通信カード２の動作の状態等を表示する。このような発光部８としては、ＬＥＤ（発光ダイオード）等を用いることができる。パワーアンプ部６は、アンテナ４が受信した無線信号を増幅してＲＦ部１０に出力し、また、ＲＦ部１０が出力する送信用の無線信号を増幅してアンテナ４に出力する。
【００２１】
ＲＦ部１０は、ＢＢＰ部１２から出力される信号を無線用の周波数に変換する。ＢＢＰ部１２は、無線通信の規格に従い、コード化及びデコード化を含むベースバンド処理を行なう。ＭＡＣ部１４は、所定の通信プロトコルに従い、無線アクセス制御を行なう。
【００２２】
また、アンテナ４、パワーアンプ部６及び発光部８は、後述するユニット３２内に配置され、ＲＦ部１０、ＢＢＰ部１２、ＭＡＣ部１４、ＲＯＭ１６、ＲＡＭ１８及びＣＰＵ２２のチップ等は、同じく後述するリジッド基板３０上に配置されている。
【００２３】
図２は、無線通信カード２を示す斜視図である。同図に示すように、無線通信カード２はケース２４を備えており、その長さ寸法（図中、寸法Ｌ）が、対応する不図示の端末装置のスロットの深さ寸法と、ほぼ同じ長さになっている。また、ケース２４は、その厚さ方向に互いに接合する上側ケース２６と下側ケース２８を備えて構成されている。
【００２４】
図３は、無線通信カード２の上側ケース２６を取除いた状態を示す斜視図である。同図に示すように、上側ケース２６（図３中、不図示）と下側ケース２８の間に形成される内部空間には、コネクタ２０、リジッド基板３０、ユニット３２及びイジェクト機構部３４が収納されている。
【００２５】
コネクタ２０は、ケース２４の長さ方向の一方の端部２４ａにおいて、上側ケース２６（図３中、不図示）と下側ケース２８の間に挟まれ固定されており、リジッド基板３０上の電気回路と回路接続している。また、コネクタ２０は、ケース２４の長さ方向における端部２４ａ側の端面に開口するよう形成された開口部３６から外側に露出している。無線通信カード２は、不図示の対応する端末装置のスロットに挿し込まれたときに、このコネクタ２０が不図示の端末装置と回路接続するようになっている。
【００２６】
ここで、開口部３６は、上側ケース２６（図３中、不図示）と下側ケース２８が組合されたときに、その周縁部が閉止されることにより開口形状が完成するようになるものであるが、便宜上、例えば下側ケース２８側だけの部分を指して開口部３６ということがあるものとする。
【００２７】
また、リジッド基板３０上に印刷並びに実装された電気回路（アンテナ４、パワーアンプ部６及び発光部８を除く）と、ユニット３２内に配置されたアンテナ４、パワーアンプ部６及び発光部８（図１参照）とは、図３に示すように、コネクタ３７及びケーブル（ＦＰＣ：フレキシブルプリント配線板）３８を介して回路接続されている。ケーブル３８は、リジッド基板３０にコネクタ３７で接続し、ユニット３２へは半田等で接続される。
【００２８】
なお、パワーアンプ部６を、アンテナ４を備えたユニット３２側に設け、かつ、ユニット３２側とケース２４側のリジッド基板３０のそれぞれにケーブル３８を固定して、両者を接続してあるので、端末装置の振動等を原因として、送受信信号にエラーが生じるおそれは低くなっている。ケーブル３８には、発光部８を制御するＣＰＵ２２からの信号ラインも含まれている。
【００２９】
ユニット３２は、その長さ方向がケース２４の長さ方向と平行に向けられている。そして、ユニット３２は、その全体がケース２４に収納された状態において、長さ方向の一方の端面３２ａの位置が、ケース２４における端部２４ａとは他方の端部２４ｂ側の端面２４ｃの位置と、ケース２４の長さ方向において一致している。これにより、ユニット３２の端面３２ａは、ケース２４の端面２４ｃに開口するよう形成された開口部３９から露出している。
【００３０】
ここで、開口部３９は、開口部３６と同様に、上側ケース２６（図３中、不図示）と下側ケース２８が組合されたときに、その周縁部が閉止されることにより開口形状が完成するようになるものであるが、便宜上、例えば下側ケース２８側だけの部分を指して開口部３９ということがあるものとする。
【００３１】
アンテナ４は、ユニット３２内において、その長さ方向における端面３２ａ側の端部３２ｂに配置される。また、発光部８は、ユニット３２における幅方向の途中の位置であって、端面３２ａと、この端面３２ａと互いに隣合う上側ケース２６（図３中、不図示）側の面３２ｃが交わる角部に配置されている。
【００３２】
このようなユニット３２の角部に配置した発光部８は、ユニット３２をケース２４から引出すと、点灯したり点滅したりする状態の視認性が極めて良好である。
【００３３】
また、ユニット３２は、その長さ方向と平行方向に伸びる２つの溝４０を有しており、各溝４０内には、下側ケース２８の底板部２８ａに立設された中空状のピン４２が入り込んでいる。これにより、ユニット３２は、溝４０の長さからピン４２の外径を差し引いた長さの分だけ、ケース２４の開口部３９から突出する方向に摺動可能になっている。
【００３４】
また、ユニット３２は、その溝４０内にピン４２が入り込んでいることにより、ケース２４の外側に飛出してしまうことがないため、ケース２４内にその一部又は全体を収納させて保持される状態が維持されるようになっている。
【００３５】
また、アンテナ４は、ユニット３２がその長さ方向に摺動する場合には共に移動し、ケース２４の開口部３９側の端面２４ｃを通過して、その外側に移動できるので、アンテナ４は、ケース２４内に位置する状態と、ケース２４の外側に位置する状態との間で移動できるようになっている。
【００３６】
また、図４に示すように、ユニット３２には、その長さ方向に平行の側面３２ｄに、ユニット３２が摺動する長さ分の間隔を置いて２つの窪み４４ａ，４４ｂが形成されている。この窪み４４ａ，４４ｂには、ユニット３２が摺動する長さ範囲の始端及び終端において、下側ケース２８に設けられた係合部４６が係合するようになっている。
【００３７】
この係合部４６は、図３に示すように、下側ケース２８の底板部２８ａに立設された支柱４８の高さ中間位置から、ユニット３２の摺動方向と平行方向に伸びるように長さを有して形成されており、その長さ方向の先端部に、ユニット３２側に突出する突起４６ａが形成されている。係合部４６は軽荷重で撓むようになっており、ユニット３２が摺動する長さ範囲の始端又は終端の各々において、その先端部の突起４６ａが、ユニット３２の窪み４４ａ又は窪み４４ｂに係合し、ユニット３２の摺動中は、その係合は外れるようになっている。
【００３８】
次に、イジェクト機構部３４は、操作部５０、連結棒５２、押出し棒５４、及び引張ばね５６を備えて構成されている。操作部５０は棒形状であって、その一方の端部が、ケース２４の長さ方向に平行に配置される連結棒５２の一方の端部５２ａに、回動自在に連結されている。操作部５０は、開口部３９の近傍に配置されており、当初においてケース２４の長さ方向と直角方向に向けられている。
【００３９】
また、押出し棒５４は、ケース２４の長さ方向と略直角方向に配置され、一方の端部５４ａ側の長さ部分が、図４に示すように、ユニット３２における端面３２ａとは反対側の端面３２ｅに当接するように配置されている。そして、押出し棒５４は、その長さ中間位置において、下側ケース２８の底板部２８ａに立設されたピン５８に回動自在に設けられている。
【００４０】
また、連結棒５２は、ケース２４の長さ方向に摺動自在になっていると共に、その端部５２ａとは反対側の端部５２ｂが、押出し棒５４におけるその端部５４ａとは反対側の端部５４ｂとピン５８との中間位置に当接している。そして、引張ばね５６は、その一方の端部が押出し棒５４の端部５４ｂに設けられたピンに引掛けられて、操作部５０側に向かって付勢するよう作用している。
【００４１】
無線通信カード２は、以下のような操作により、ユニット３２をケース２４からイジェクトする（取り出す）ことができるようになっている。
【００４２】
無線通信カード２は当初において、図３に示すように、係合部４６の突起４６ａが、ユニット３２の窪み４４ａに係合しているため、軽い振動等が加えられてもユニット３２は動かない。また、ユニット３２は、その全体がケース２４内に収納されているため、その端部３２ｂを摘んで引出すことができない。
【００４３】
ユニット３２をケース２４からイジェクトするためには、まず、イジェクト機構部３４の操作部５０を、図２及び図３に示すようなケース２４の長さ方向と直角方向に伸びた状態から、手動で回動させることにより、図４に示すように、ケース２４の長さ方向と平行方向に伸びた状態にする。
【００４４】
そして、操作部５０を、連結棒５２側に向かって手の指等でケース２４内に押し込むと、図５に示すように、連結棒５２は押出し棒５４を押してピン５８の回りに回動させる。このことにより、押出し棒５４の端部５４ａがユニット３２を押して、ケース２４内からユニット３２をイジェクトさせるようになっている。
【００４５】
イジェクト機構部３４の操作部５０から手の指等を離すと、操作部５０、連結棒５２及び押出し棒５４は、図６に示すように、引張ばね５６の作用により当初の状態に戻る。また、ユニット３２は、図５に示すような開口部３９から端部３２ｂだけが突出した状態になるので、この端部３２ｂを手の指で摘んでさらに引出すことにより、図６に示すように、このユニット３２が摺動可能な長さ範囲の終端まで、移動させることができる。
【００４６】
ユニット３２をその摺動可能な長さ範囲の終端まで移動させた状態では、係合部４６の突起４６ａが、ユニット３２の窪み４４ｂに係合するため、ユニット３２に対して一定の大きさよりも小さい外力が加わっても、ユニット３２は動かない。
【００４７】
また、ユニット３２を収納させる方向に、一定以上の大きさの外力を加えれば、係合部４６の突起４６ａが窪み４４ｂから外れる。そのまま、ユニット３２を移動してケース２４内に収納させれば、当初の図３及び図４に示すような状態に戻すことができる。
【００４８】
このような本実施の形態に係る無線通信カード２によれば、この無線通信カード２を、対応する端末装置のスロットに挿入した状態においても、ユニット３２の一部をケース２４から突出させることにより、アンテナ４を端末装置のスロットの外側に移動させることができるので、この端末装置のスロットの外側で、無線通信カード２のアンテナ４が無線信号の送受信を行なうようにすることができる。
【００４９】
また、アンテナ４はユニット３２に内蔵されているため、このアンテナ４に直接外力が加わって破損するのを防止することができる。また、アンテナ４をユニット３２内の不図示の配線回路に固定接続する構造を採用することができるので、接触不良等に起因する送受信不良の発生を防止することができる。
【００５０】
次に、図１及び図７ないし図９に基づいて本発明の第２の実施の形態に係る、無線送受信機能を有する無線通信カード７０について説明する。これらの図に示す無線通信カード７０は、前記第１の実施の形態に係る無線通信カード２と同様の部分には同じ符号を付して説明し、同様の構成についての重複する説明は省略するものとする。
【００５１】
本実施の形態に係る無線通信カード７０は、図７に示すように、ケース７２を備えている。このケース７２は、上側ケース７４と下側ケース７６を備えて構成されている。また、ケース７２には、前記第１の実施の形態に係る無線通信カード２の開口部３９に相当する開口部７７が形成されている。
【００５２】
また、無線通信カード７０は、前記第１の実施の形態に係る無線通信カード２のユニット３２の代わりに、ユニット７８を備えている。このユニット７８は、前記第１の実施の形態に係る無線通信カード２のユニット３２と同様に、ケース７２内に収納された状態において、その長さ方向の一方の端面７８ａの位置が、ケース７２におけるその長さ方向の開口部７７側の端面７２ｃの位置と、このケース７２の長さ方向において一致している。
【００５３】
また、無線通信カード７０は、前記第１の実施の形態に係る無線通信カード２における、下側ケース２８の係合部４６、及びユニット３２の窪み４４ａ，４４ｂに相当するようなものは設けられていない。
【００５４】
また、無線通信カード７０は、前記第１の実施の形態に係る無線通信カード２のイジェクト機構部３４の代わりに、図８に示すような、ねじりコイルばね７９（付勢部材に相当）及びロック機構部８０を備えている。
【００５５】
ねじりコイルばね７９は、図８及び図９に示すように、その一方のアームが下側ケース７６の底板部７６ａに立設されたピン８２に回動可能に係止され、他方のアームがユニット７８における端面７８ａとは反対側の端面７８ｅに当接して、ユニット７８を開口部７７から突出させる方向に常時付勢するようになっている。
【００５６】
また、ロック機構部８０は、図８に示すように、操作部８４と圧縮ばね８６を備えて構成されている。操作部８４は略棒形状であって、その長さ中間位置において、下側ケース７６の底板部７６ａに立設されたピン８８に回動可能に嵌合されており、非動作時はケース７２の長さ方向に略平行に配置される。また、操作部８４には、その一方の端部に、その長さ方向と略直角方向に長さを有する掛止片８４ａが形成されている。掛止片８４ａの片側には、突起８４ｃが形成されている。
【００５７】
この操作部８４の掛止片８４ａに対応して、ユニット７８には、その長さ方向における端面７８ａ側の端部７８ｂの操作部８４側の角部に、段状の被掛止部７８ｆが形成されており、掛止片８４ａが被掛止部７８ｆに掛止した状態では、ユニット７８は、開口部７７からケース７２の外側に突出しないよう規制されるようになっている。
【００５８】
また、圧縮ばね８６は、操作部８４の掛止片８４ａとは反対側の端部８４ｂに当接して、操作部８４の掛止片８４ａが、ユニット７８の被掛止部７８ｆから外れないように作用する方向に操作部８４を常時付勢している。
【００５９】
無線通信カード７０は、図７及び図８に示すような、ユニット７８全体がケース７２内に収納された収納状態から、掛止片８４ａをユニット７８の被掛止部７８ｆから外す操作（突起８４ｃをユニット７８から遠ざける方向に押す押圧操作）を行なうことにより、この収納状態を解除して、図９に示すように、操作部８４を回動させ、ユニット７８がその摺動可能な長さ分だけ、開口部７７から外側に突出した状態にすることができるようになっている。
【００６０】
また、無線通信カード７０は、ユニット７８を、ケース７２内に収納させる方向に、一定以上の大きさの外力を加えて押し戻し、被掛止部７８ｆに操作部８４の掛止片８４ａを掛止させれば、当初の図７及び図８に示すような状態に戻すことができる。
【００６１】
このような本実施の形態に係る無線通信カード７０によれば、前記第１の実施の形態と同様に、この無線通信カード７０を、対応する端末装置のスロットに挿入した状態において、この端末装置のスロットの外側で、ユニット７８のアンテナ４が無線信号の送受信を行なうようにすることができる。
【００６２】
また、アンテナ４はユニット７８に内蔵されているため、このアンテナ４に直接外力が加わって破損するのを防止することができる。また、アンテナ４をユニット７８内の不図示の配線回路に固定接続する構造を採用することができるので、接触不良等に起因する送受信不良の発生を防止することができる。
【００６３】
次に、図１、図１０及び図１１に基づいて本発明の第３の実施の形態に係る、無線送受信機能を有する無線通信カード９０について説明する。
【００６４】
本実施の形態に係る無線通信カード９０は、図１０に示すように、ケース９２を備えている。このケース９２は、上側ケース９４と下側ケース９６を備えて構成されている。ケース９２には、前記第１の実施の形態に係る無線通信カード２の開口部３９に相当する開口部９７が形成されている。
【００６５】
また、無線通信カード９０は、前記第１の実施の形態に係る無線通信カード２のユニット３２の代わりに、ユニット９８を備えている。このユニット９８は、前記第１の実施の形態に係る無線通信カード２のユニット３２と同様に、ケース９２内に収納された状態において、その長さ方向の一方の端面９８ａの位置が、ケース９２におけるその長さ方向の開口部９７側の端面９２ｃの位置と、このケース９２の長さ方向において一致している。
【００６６】
また、無線通信カード９０は、前記第１の実施の形態に係る無線通信カード２のイジェクト機構部３４に相当するようなものは備えていない。
【００６７】
ケース９２には、その上側ケース９４における開口部９７の周縁の肉厚部分の一部を、このケース９２の長さ方向に深さを有するように切欠いた形状の凹部９９が形成されている。そして、ユニット９８には、その長さ方向に平行である上側ケース９４側の面９８ｃにおける、ケース９２の凹部９９に対応する領域に、一定深さの２つの溝１００（引掛け部に相当）が開口するように設けられている。これにより、ユニット９８は、常に溝１００が露出するようになっている。また、ユニット９８の端面９８ａには、２つの突起１０２が設けられている。
【００６８】
また、ケース９２には、その上側ケース９４及び下側ケース９６の互いに接合する境界部分を含む、開口部９７の周縁の肉厚部分の一部を、この上側ケース９４の長さ方向に深さを有するように切欠いた形状の凹部１０４が形成されている。
【００６９】
図１１に示すように、ユニット９８には、その長さ方向における端面９８ａ側の端部９８ｂに、幅方向に突出する拡幅部９８ｇが設けられており、この拡幅部９８ｇが、ケース９２の凹部１０４に入り込むようになっている。拡幅部９８ｇの露出部分の表面上には、無線通信カード９０の非スロット挿入時に、手の指等を当接させたときに滑らないようにするために、連続する三角波形状の滑り止め加工が施されている。
【００７０】
無線通信カード９０は、ユニット９８の溝１００、突起１０２、拡幅部９８ｇのいずれかを操作して、ケース９２内からユニット９８を、摺動可能な長さ分だけ引出すことができるようになっている。
【００７１】
このような本実施の形態に係る無線通信カード９０によれば、前記第１及び第２の実施の形態と同様に、この無線通信カード９０を、対応する端末装置のスロットに挿入した状態において、この端末装置のスロットの外側で、ユニット９８のアンテナ４が無線信号の送受信を行なうようにすることができる。
【００７２】
また、アンテナ４はユニット３２に内蔵されているため、このアンテナ４に直接外力が加わって破損するのを防止することができる。また、アンテナ４をユニット３２内の不図示の配線回路に固定接続する構造を採用することができるようになるので、接触不良等に起因する送受信不良の発生を防止することができる。
【００７３】
また、本実施の形態に係る無線通信カード９０によれば、対応する端末装置のスロットに挿入した状態においては、ユニット９８の溝１００を操作（手の指の爪を引掛ける）、或いは、突起１０２を操作（面９８ｃと突起１０２に指を掛け挟持する）して、ケース９２内からユニット９８を、摺動可能な長さ分だけ引出すことができる。
【００７４】
次に、図１、図１２及び図１３に基づいて本発明の第４の実施の形態に係る、無線送受信機能を有する無線通信カード１４０について説明する。
【００７５】
本実施の形態に係る無線通信カード１４０は、図１２に示すように、ケース１４２を備えている。このケース１４２は、上側ケース１４４と下側ケース１４６を備えて構成されている。そして、このケース１４２には、前記第１の実施の形態に係る無線通信カード２の開口部３９に相当する開口部１４７が形成されている。
【００７６】
また、無線通信カード１４０は、前記第１の実施の形態に係る無線通信カード２のユニット３２の代わりに、ユニット１４８を備えている。前記第１の実施の形態に係る無線通信カード２のイジェクト機構部３４に相当するようなものは備えていない。
【００７７】
ユニット１４８は、図１３に示すように、ケース１４２に収納された状態においても、その長さ方向の一方の端部１４８ｂが、開口部１４７からケース１４２の外側に突出するようになっている。また、ユニット１４８は、その端部１４８ｂにおける幅方向の両端面に、手の指等を当接させたときに滑らないようにするための滑り止め加工が施されている。これにより、ユニット１４８は、その端部１４８ｂを手の指で挟持して、ケース１４２内から引出すことができる。
【００７８】
このような本実施の形態に係る無線通信カード１４０によれば、前記第１ないし第３の実施の形態と同様に、この無線通信カード１４０を、対応する端末装置のスロットに挿入した状態において、この端末装置のスロットの外側で、ユニット１４８のアンテナ４が無線信号の送受信を行なうようにすることができる。
【００７９】
また、アンテナ４はユニット１４８に内蔵されているため、このアンテナ４に直接外力が加わって破損するのを防止することができる。また、アンテナ４をユニット１４８内の不図示の配線回路に固定接続する構造を採用することができるので、接触不良等に起因する送受信不良の発生を防止することができる。
【００８０】
次に、図１、及び図１４ないし図１６に基づいて本発明の第５の実施の形態に係る、無線送受信機能を有する無線通信カード１１０について説明する。
【００８１】
本実施の形態に係る無線通信カード１１０は、図１４に示すように、ケース１１２を備えている。このケース１１２は、上側ケース１１４と下側ケース１１６を備えて構成されている。また、ケース１１２には、前記第１の実施の形態に係る無線通信カード２の開口部３９に相当する開口部１１７が形成されている。
【００８２】
また、無線通信カード１１０は、前記第１の実施の形態に係る無線通信カード２のイジェクト機構部３４に相当するようなものは備えておらず、また、ユニット３２の代わりに、図１５に示すようなユニット１２０を備えている。リジッド基板３０とユニット１２０は、配線用コード１２１を介して回路接続されている。
【００８３】
ユニット１２０は、その平面形状が略扇型であって、一定の厚さを有している。そして、ユニット１２０は、ケース１１２における開口部１１７寄りの一方の隅部の近傍を通る、ケース１１２の厚さ方向に平行の回動軸線Ｃを中心として回動自在となるように、下側ケース１１６の底板部１１６ａに立設された回動中心軸１２２に嵌合されている。ユニット１２０は、後述するストッパ１２６，１３２が設けられていることにより、一定角度の範囲内で回動するようになっている。
【００８４】
ユニット１２０は、その全体がケース１１２に収納された状態において、このユニット１２０の扇形状の半径方向に平行の一方の側面１２０ａの位置が、ケース１１２におけるその長さ方向の開口部１１７側の端面１１２ｃの位置と、ケース１１２の長さ方向において一致している。
【００８５】
アンテナ４は、ユニット１２０内において、その半径外側部で、かつ前記側面１２０ａ寄りの位置に配置される。また、発光部８は、ユニット１２０の円周面１２０ｂにおける円周方向の中間位置であって、円周面１２０ｂと、上側ケース１１４（図１５中、不図示）側の扇形の面１２０ｃが交わる角部に配置されている。
【００８６】
また、ケース１１２には、その開口部１１７寄りの２つの隅部のうちの回動中心軸１２２がある隅部とは反対側の隅部の近傍に、凹部１２４が形成されている。この凹部１２４は、図１６に示すように、下側ケース１１６の側壁部１１６ｂが内側に折れ曲がった折曲部１１６ｃにより形成されている。
【００８７】
また、図１５に示すように、ユニット１２０には、その円周面１２０ｂ上における、円周方向の、側面１２０ａ側の端部に、半径外方に三角形状に突出するストッパ１２６が形成されている。このストッパ１２６は、ケース１１２の凹部１２４に入り込み、その三角形状の斜面基部が凹部１２４の深さ方向の折曲部１１６ｃに突き当たるようになっている。
【００８８】
また、無線通信カード１１０には、下側ケース１１６における折曲部１１６ｃの近傍に、前記第１の実施の形態に係る無線通信カード２の係合部４６と同様の、係合部１２８が設けられていると共に、ユニット１２０の円周面１２０ｂ上に、同じく前記第１の実施の形態に係る無線通信カード２のユニット３２の窪み４４ａ，４４ｂと同様の、窪み１３０ａ，１３０ｂが設けられている。窪み１３０ａと窪み１３０ｂは、ユニット１２０の回動可能な角度と同じ大きさの角度だけ離れた位相の位置に設けられている。
【００８９】
また、ユニット１２０には、その円周面１２０ｂにおけるその円周方向のストッパ１２６とは反対側の端部に、半径方向に突出するストッパ１３２が形成されている。このストッパ１３２は、図１６に示すように、ユニット１２０を開口部１１７から突出させる方向に回動させていくと係合部１２８に突き当たるようになっている。
【００９０】
無線通信カード１１０は、このようなユニット１２０をケース１１２の開口部１１７から突出させた状態にするためには、図１４及び図１５に示すような、ユニット１２０全体がケース１１２内に収納された状態において、ユニット１２０のストッパ１２６と、ケース１１２の凹部１２４との隙間にペン先や指先等を挿し込んでストッパ１２６に引掛けた後、そのままユニット１２０を外側に回動させるようにする。
【００９１】
図１４及び図１５に示すような、ユニット１２０がケース１１２内に収納された状態と、図１６に示すような、ユニット１２０がケース１１２の開口部１１７から突出した状態との間で、アンテナ４はケース１１２における開口部１１７側の端面１１２ｃを通過して、その外側に移動できるので、アンテナ４は、ケース１１２内に位置する状態と、ケース１１２の外側に位置する状態との間で移動できるようになっている。
【００９２】
また、無線通信カード１１０は、図１６に示すような、ユニット１２０がケース１１２の開口部１１７から突出した状態において、発光部８が露出するようになっている。無線通信カード１１０に対応する不図示の端末装置のスロットに対して、この無線通信カード１１０を挿入する方向が、この不図示の端末装置とユーザーが相対する方向に対して直角である場合には、発光部８はユーザーが確認し易い方向を向くようになっている。
【００９３】
このような本実施の形態に係る無線通信カード１１０によれば、前記第１ないし第４の実施の形態と同様に、この無線通信カード１１０を、対応する端末装置のスロットに挿入した状態において、この端末装置のスロットの外側で、ユニット１２０のアンテナ４が無線信号の送受信を行なうようにすることができる。
【００９４】
また、アンテナ４はユニット１２０に内蔵されているため、このアンテナ４に直接外力が加わって破損するのを防止することができる。また、アンテナ４をユニット１２０内の不図示の配線回路に固定接続する構造を採用することができるので、接触不良等に起因する送受信不良の発生を防止することができる。
【００９５】
なお、前記第１の実施の形態に係る無線通信カード２は、ユニット３２がケース２４内に収納されている状態において（図３参照）、その端面３２ａの位置が、ケース２４の端面２４ｃの位置と、このケース２４の長さ方向において一致するようになっていたが、ユニット３２の収納時において、このユニット３２の端部３２ｂが、ケース２４の外側に突出するようになっていてもよい。前記第２及び第３の実施の形態においても、同様のことがいえる。
【００９６】
また、前記第５の実施の形態に係る無線通信カード１１０は、ユニット１２０が、ケース１１２内に収納されている状態において（図１５参照）、ユニット１２０の側面１２０ａの位置が、ケース１１２の端面１１２ｃの位置と、ケース１１２の長さ方向において一致するようになっていたが、収納時においても、ユニット１２０におけるその回動方向の側面１２０ａ側の端部がケース１１２の外側に突出するようになっていてもよい。
【００９７】
また、前記第１の実施の形態に係る無線通信カード２では（図３参照）、ユニット３２の摺動可能な長さ範囲を規制するために、このユニット３２に溝４０を設けると共に、下側ケース２８にピン４２を設けていたが、ユニット３２の摺動可能な長さ範囲を規制するための構造は、このようなものに制限されない。例えば、ユニット３２にピンを設けると共に、下側ケース２８に溝を設けるようにしてもよい。前記第２ないし第４の実施の形態においても、同様のことがいえる。
【００９８】
また、前記第１の実施の形態に係る無線通信カード２では、ユニット３２内に、アンテナ４、パワーアンプ部６及び発光部８を有するようになっていたが、例えば、ユニット３２内に、アンテナ４とパワーアンプ部６だけを有するようになっていてもよい。前記第２ないし第５の実施の形態においても、同様のことがいえる。
【００９９】
また、前記第１の実施の形態に係る無線通信カード２では、この無線通信カード２の動作の状態を表示する表示部として、発光部８を備えるようになっていたが、発光部８の代わりに、液晶表示部等を備えるようになっていてもよい。前記第２ないし第５の実施の形態においても、同様のことがいえる。
【０１００】
また、前記第１の実施の形態に係る無線通信カード２では、発光部８は、ユニット３２の端面３２ａと、この端面３２ａと互いに隣合う上側ケース２６側の面３２ｃとが交わる角部に備えるようになっていたが、ユニット３２を引出した状態で良好に視認できる位置であれば、ユニット３２における先端面（端面３２ａ）若しくは上面（面３２ｃ）など、ユニット３２における他の位置に発光部８を備えてもよい。前記第２ないし第５の実施の形態においても、同様のことがいえる。
【０１０１】
また、前記第１の実施の形態に係る無線通信カード２では（図３参照）、イジェクト機構部３４の操作部５０が、ケース２４の開口部３９の近傍に配置されるようになっていたが、イジェクト機構部３４は、このような構造のものに制限されない。
【０１０２】
また、前記第２の実施の形態に係る無線通信カード７０では（図８参照）、ロック機構部８０の操作部８４が、ケース７２の開口部７７の近傍に配置されるようになっていたが、ロック機構部８０は、このような構造のものに制限されない。
【０１０３】
また、前記第３の実施の形態に係る無線通信カード９０では（図１０参照）、溝１００が引掛け部として設けられていたが、溝１００の代わりに、突起等が引掛け部として設けられていてもよい。
【０１０４】
また、前記第２の実施の形態に係る無線通信カード７０は（図８参照）、そのユニット７８及び下側ケース７６に、前記第１の実施の形態に係る無線通信カード２（図３参照）の窪み４４ａ，４４ｂ及び係合部４６に相当するものが設けられていないが、これらを設けるようにしてもよい。
【０１０５】
また、前記第１ないし第５の実施の形態では、本発明を、無線送受信機能を有する無線通信カード２，７０，９０，１４０，１１０に対して適用した場合について説明したが、本発明は、このような無線送信機能と無線受信機能の両方を有する無線通信カードに限定されず、例えば、無線送信機能または無線受信機能のいずれか一方の機能だけを有するような、他の無線通信カードに対しても適用することができることはいうまでもない。
【図面の簡単な説明】
【０１０６】
【図１】本発明の第１ないし第５の実施の形態に係る無線通信カード２，７０，９０，１４０，１１０の回路構成を示すブロック図である。
【図２】本発明の第１の実施の形態に係る無線通信カード２を示す斜視図であって、ユニット３２の収納時を示す図である。
【図３】図２に示す無線通信カード２の上側ケース２６を取除いた状態を示す斜視図であって、ユニット３２の収納時を示す図である。
【図４】ユニット３２の収納時においてイジェクト機構部３４の操作部５０を回動させた状態の無線通信カード２を示す平面図である。
【図５】ユニット３２をイジェクトした状態の無線通信カード２を示す平面図である。
【図６】ユニット３２が摺動可能な長さ範囲の終端まで移動した状態の無線通信カード２を示す平面図である。
【図７】本発明の第２の実施の形態に係る無線通信カード７０を示す斜視図であって、ユニット７８の収納時を示す図である。
【図８】図７に示す無線通信カード７０の上側ケース７４を取除いた状態を示す斜視図であって、ユニット７８の収納時を示す図である。
【図９】ユニット７８が摺動可能な長さ範囲の終端まで移動した状態の無線通信カード７０を示す平面図である。
【図１０】本発明の第３の実施の形態に係る無線通信カード９０を示す斜視図であって、ユニット９８の収納時を示す図である。
【図１１】図１０に示す無線通信カード９０の上側ケース９４を取除いた状態を示す斜視図であって、ユニット９８の収納時を示す図である。
【図１２】本発明の第４の実施の形態に係る無線通信カード１４０を示す斜視図であって、ユニット１４８の収納時を示す図である。
【図１３】図１２に示す無線通信カード１４０の上側ケース２６を取除いた状態を示す平面図であって、ユニット１４８の収納時を示す図である。
【図１４】本発明の第５の実施の形態に係る無線通信カード１１０を示す斜視図であって、ユニット１２０の収納時を示す図である。
【図１５】図１４に示す無線通信カード１１０の上側ケース１１４を取除いた状態を示す斜視図であって、ユニット１２０の収納時を示す図である。
【図１６】ユニット１２０が回動可能な角度範囲の終端まで移動した状態の無線通信カード１１０を示す平面図である。
【符号の説明】
【０１０７】
２  無線通信カード
４  アンテナ
６  パワーアンプ部
８  発光部
１０  ＲＦ部
１２  ＢＢＰ部
１４  ＭＡＣ部
１６  ＲＯＭ
１８  ＲＡＭ
２０  コネクタ
２２  ＣＰＵ
２４  ケース
２４ａ，２４ｂ  端部
２４ｃ  端面
２６  上側ケース
２８  下側ケース
２８ａ  底板部
３０  リジッド基板
３２  ユニット
３２ａ  端面
３２ｂ  端部
３２ｃ  面
３２ｄ  側面
３２ｅ  端面
３４  イジェクト機構部
３６  開口部
３７  コネクタ
３８  ケーブル（ＦＰＣ）
３９  開口部
４０  溝
４２  ピン
４４ａ，４４ｂ  窪み
４６  係合部
４６ａ  突起
４８  支柱
５０  操作部
５２  連結棒
５２ａ，５２ｂ  端部
５４  押出し棒
５４ａ，５４ｂ  端部
５６  引張ばね
５８  ピン
７０  無線通信カード
７２  ケース
７２ｃ  端面
７４  上側ケース
７６  下側ケース
７６ａ  底板部
７７  開口部
７８  ユニット
７８ａ  端面
７８ｂ  端部
７８ｅ  端面
７８ｆ  被掛止部
７９  ねじりコイルばね
８０  ロック機構部
８２  ピン
８４  操作部
８４ａ  掛止片
８４ｂ  端部
８４ｃ  突起
８６  圧縮ばね
８８  ピン
９０  無線通信カード
９２  ケース
９２ｃ  端面
９４  上側ケース
９６  下側ケース
９７  開口部
９８  ユニット
９８ａ  端面
９８ｂ  端部
９８ｃ  面
９８ｇ  拡幅部
９９  凹部
１００  溝
１０２  突起
１０４  凹部
１１０  無線通信カード
１１２  ケース
１１２ｃ  端面
１１４  上側ケース
１１６  下側ケース
１１６ａ  底板部
１１６ｂ  側壁部
１１６ｃ  折曲部
１１７  開口部
１２０  ユニット
１２０ａ  側面
１２０ｂ  円周面
１２０ｃ  面
１２１  配線コード
１２２  回動中心軸
１２４  凹部
１２６  ストッパ
１２８  係合部
１３０ａ，１３０ｂ  窪み
１３２  ストッパ
１４０  無線通信カード
１４２  ケース
１４４  上側ケース
１４６  下側ケース
１４７  開口部
１４８  ユニット
１４８ｂ  端部
【図１】
2007123985.tif 000003
【図２】
2007123985.tif 000004
【図３】
2007123985.tif 000005
【図４】
2007123985.tif 000006
【図５】
2007123985.tif 000007
【図６】
2007123985.tif 000008
【図７】
2007123985.tif 000009
【図８】
2007123985.tif 000010
【図９】
2007123985.tif 000011
【図１０】
2007123985.tif 000012
【図１１】
2007123985.tif 000013
【図１２】
2007123985.tif 000014
【図１３】
2007123985.tif 000015
【図１４】
2007123985.tif 000016
【図１５】
2007123985.tif 000017
【図１６】
2007123985.tif 000018